Podtech/llm-jp-corpus-v4-ja_patent huggingface dataset:
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
粒子からの光を検出する検出部と、
予め設定された所定の加電圧係数に応じて前記検出部を制御する情報処理部と、
前記所定の加電圧係数と前記検出部で検出された値とを記憶する記憶部と、
からなり、
前記所定の加電圧係数は、前記検出部が蛍光基準粒子から検出した出力パルスの特徴量に基づき設定される、粒子測定システム。
【請求項２】
前記所定の加電圧係数は、前記検出部が蛍光基準粒子から検出した出力パルスの特徴量と前記出力パルスの特徴量が検出された際の前記検出部の制御信号とに基づき設定される、請求項１に記載の粒子測定システム。
【請求項３】
前記記憶部は、前記出力パルスの特徴量に対応する加電圧係数と前記検出部の制御信号との関係を記憶する、請求項２に記載の粒子測定システム。
【請求項４】
前記記憶部は、前記出力パルスの特徴量に対応する加電圧係数と前記検出部の制御信号との関係を三次関数として記憶する、請求項３に記載の粒子測定システム。
【請求項５】
前記情報処理部は、前記出力パルスの特徴量に対応する加電圧係数と、前記検出部の制御信号との関係を特定する、請求項３又は４に記載の粒子測定システム。
【請求項６】
前記情報処理部は、前記特定された制御信号で前記検出部を制御する、請求項５に記載の粒子測定システム。
【請求項７】
前記出力パルスの特徴量は、前記検出部の制御信号に依存する値である、請求項６に記載の粒子測定システム。
【請求項８】
前記検出部は、複数の検出器からなる、請求項１から７のいずれか一項に記載の粒子測定システム。
【請求項９】
前記複数の検出器に対して、同一の前記所定の加電圧係数を設定する、請求項８に記載の粒子測定システム。
【請求項１０】
前記複数の検出器間で出力差を有する、請求項８又は９に記載の粒子測定システム。
【請求項１１】
前記記憶部は、前記複数の検出器それぞれに対して前記出力パルスの特徴量に対応する加電圧係数と前記検出部の制御信号との関係を記憶し、
前記情報処理部は、前記設定された所定の加電圧係数に対して、前記出力パルスの特徴量に対応する加電圧係数と前記検出部の制御信号との関係に基づき前記複数の検出器それぞれに対応する制御信号を特定し、前記特定された制御信号で前記複数の検出器それぞれを制御する、請求項８から１０のいずれか一項に記載の粒子測定システム。
【請求項１２】
前記出力パルスの特徴量は、出力パルスの高さ、又は出力パルスの面積である、請求項１から１１のいずれか一項に記載の粒子測定システム。
【請求項１３】
前記出力パルスの特徴量は、出力パルスの高さである、請求項１から１２のいずれか一項に記載の粒子測定システム。
【請求項１４】
前記所定の加電圧係数は、ユーザーによって設定される、請求項１から１３のいずれか一項に記載の粒子測定システム。
【請求項１５】
前記記憶部は、前記検出部及び／又は前記情報処理部と、ネットワークを介して接続されている、請求項１から１４のいずれか一項に記載の粒子測定システム。
【請求項１６】
粒子からの光を検出部により検出する検出工程と、
予め設定された所定の加電圧係数に応じて前記検出部を制御する情報処理工程と、
前記所定の加電圧係数と前記検出部で検出された値とを記憶する記憶工程と、
からなり、
前記所定の加電圧係数は、前記検出部が蛍光基準粒子から検出した出力パルスの特徴量に基づき設定される、粒子測定方法。
【請求項１７】
前記所定の加電圧係数は、前記検出部が蛍光基準粒子から検出した出力パルスの特徴量と前記出力パルスの特徴量が検出された際の前記検出部の制御信号とに基づき設定される、請求項１６に記載の粒子測定方法。
【請求項１８】
前記記憶工程では、前記出力パルスの特徴量に対応する加電圧係数と前記検出部の制御信号との関係を記憶する、請求項１７に記載の粒子測定方法。
【請求項１９】
前記記憶工程では、前記出力パルスの特徴量に対応する加電圧係数と前記検出部の制御信号との関係を三次関数として記憶する、請求項１８に記載の粒子測定方法。
【請求項２０】
前記情報処理工程では、前記出力パルスの特徴量に対応する加電圧係数と、前記検出部の制御信号との関係を特定する、請求項１８又は１９に記載の粒子測定方法。
【請求項２１】
前記情報処理部は、前記特定された制御信号で前記検出部を制御する、請求項２０に記載の粒子測定方法。
【請求項２２】
前記出力パルスの特徴量は、前記検出部の制御信号に依存する値である、請求項２１に記載の粒子測定方法。
【請求項２３】
前記検出部は、複数の検出器からなる、請求項１６から２２のいずれか一項に記載の粒子測定方法。
【請求項２４】
前記複数の検出器に対して、同一の前記所定の加電圧係数を設定する、請求項２３に記載の粒子測定方法。
【請求項２５】
前記複数の検出器間で出力差を有する、請求項２３又は２４に記載の粒子測定方法。
【請求項２６】
前記記憶工程では、前記複数の検出器それぞれに対して前記出力パルスの特徴量に対応する加電圧係数と前記検出部の制御信号との関係を記憶し、
前記情報処理工程では、前記設定された所定の加電圧係数に対して、前記出力パルスの特徴量に対応する加電圧係数と前記検出部の制御信号との関係に基づき前記複数の検出器それぞれに対応する制御信号を特定し、前記特定された制御信号で前記複数の検出器それぞれを制御する、請求項２３から２５のいずれか一項に記載の粒子測定方法。
【請求項２７】
前記出力パルスの特徴量は、出力パルスの高さ、又は出力パルスの面積である、請求項１６から２６のいずれか一項に記載の粒子測定方法。
【請求項２８】
前記出力パルスの特徴量は、出力パルスの高さである、請求項１６から２７のいずれか一項に記載の粒子測定方法。
【請求項２９】
前記所定の加電圧係数は、ユーザーによって設定される、請求項１６から２８のいずれか一項に記載の粒子測定方法。
【手続補正２】
【補正対象書類名】明細書
【補正対象項目名】発明の名称
【補正方法】変更
【補正の内容】
【発明の名称】粒子測定システム及び粒子測定方法
【誤訳訂正書】
【提出日】令和2年9月1日(2020.9.1)
【誤訳訂正１】
【訂正対象書類名】明細書
【訂正対象項目名】０００９
【訂正方法】変更
【訂正の内容】
【０００９】
図３に示すように、２つの電源端子（Ｖｂａｔ及びＧＮＤ）の他に、例示の超音波センサのそれぞれは、単一の入力／出力（「Ｉ／Ｏ」又は「ＩＯ」）ラインによってＥＣＵ２０２に接続されている。センサの接地端子（ＧＮＤ）は、特定用途向け集積回路（ＡＳＩＣ）センサコントローラ３０２の接地端子に直接接続されるように示される一方、Ｖｂａｔ端子は、ＲＣフィルタ（抵抗器Ｒ２及びコンデンサＣ７）並びにダイオード注入型（Ｄ１）蓄積コンデンサＣ８を介して、センサコントローラ３０２の供給電圧（ＶＳＵＰ）端子に連結されている。ＲＣフィルタは、任意の高周波雑音をさえぎる一方、蓄積コンデンサは、一時的な電力損失を防ぐ。
【誤訳訂正２】
【訂正対象書類名】特許請求の範囲
【訂正対象項目名】全文
【訂正方法】変更
【訂正の内容】
【特許請求の範囲】
【請求項１】
単一の入力／出力ライン上でトリガ信号を検出することと、
前記トリガ信号に応じて、前記単一の入力／出力ライン上で少なくとも１つの状態ビットを、変換器からのセンサ信号の雑音レベルがしきい値を超えるか否かを示すために、提供することと、
前記少なくとも１つの状態ビットを提供することの後、前記センサ信号におけるエコーパルスの検出された持続時間に等しいパルスの持続時間を有するパルスで前記単一の入力／出力ラインを駆動することと、を含む、センサ制御方法。
【請求項２】
前記変換器で送信パルスを送ることを更に含み、
前記少なくとも１つの状態ビットを提供することは、前記送ることの間に生じる、請求項１に記載の方法。
【請求項３】
超音波変換器を駆動して、送信パルスを生成する送信部と、
前記変換器からセンサ信号を導出する受信部と、
単一の入力／出力ライン上でトリガ信号を検出し、前記単一の入力／出力ライン上で１つ以上のエラー報告ビットを応答的に提供した後、前記センサ信号におけるエコーパルスの検出された持続時間に等しいパルス継続時間を有するパルスで前記単一の入力／出力ラインを駆動するコアロジックと、を備え、前記１つ以上のエラー報告ビットは前記センサ信号の雑音レベルがしきい値を超えるか否かを示す、センサコントローラ。
【請求項４】
前記コアロジックは、前記送信部を更に動作させて、前記トリガ信号に応じて前記送信パルスを生成し、前記１つ以上のエラー報告ビットは、前記送信パルスの生成中に提供される、請求項３に記載のコントローラ。
【請求項５】
前記コアロジックは、前記変換器の残響時間をモニタし、前記１つ以上のエラー報告ビットは、前記残響時間が限度内か否かを示す、請求項４に記載のコントローラ。
【請求項６】
前記コアロジックは、複数の潜在的なエラー状態をモニタする、請求項４に記載のコントローラ。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
分散ネットワークにおいて、複数のトランザクションが含まれ、資産の保持元アドレスが複数存在する複合トランザクションに対して署名を行う方法であって、
受け取った複合トランザクションに自己が署名をすべき保持元アドレスが含まれる場合に、前記分散ネットワークを構成する第１のノードが、前記複合トランザクションを前記第1のノードの秘密鍵により署名するステップと、
前記秘密鍵による署名後に前記複合トランザクションに署名がされるべき保持元アドレスが残っている場合に、前記第１のノードが、前記分散ネットワークを構成する第２のノードに前記複合トランザクションを送信するステップと
を含み、
前記複合トランザクションに対する各署名は、前記複合トランザクションに含まれる複数のトランザクション全体を対象として付与することを特徴とする。
【請求項２】
分散ネットワークを構成する第１のノードに、複数のトランザクションが含まれ、資産の保持元アドレスが複数存在する複合トランザクションに対して署名を行う方法を実行させるためのプログラムであって、前記方法、
受け取った複合トランザクションに自己が署名をすべき保持元アドレスが含まれる場合に、前記第１のノードが、前記複合トランザクションを前記第１のノードの秘密鍵により署名するステップと、
前記秘密鍵による署名後に前記複合トランザクションに署名がされるべき保持元アドレスが残っている場合に、前記第１のノードが、前記分散ネットワークを構成する第２のノードに前記複合トランザクションを送信するステップと
を含み、
前記複合トランザクションに対する各署名は、前記複合トランザクションに含まれる複数のトランザクション全体を対象として付与することを特徴とする。
【請求項３】
複数のトランザクションが含まれ、資産の保持元アドレスが複数存在する複合トランザクションに対して署名を行う、分散ネットワークを構成する第１のノードであって、
受け取った複合トランザクションに自己が署名をすべき保持元アドレスが含まれる場合に、前記複合トランザクションを前記第１のノードの秘密鍵により署名し、
前記秘密鍵による署名後に前記複合トランザクションに署名がされるべき保持元アドレスが残っている場合に、前記分散ネットワークを構成する第２のノードに前記複合トランザクションを送信し、
前記複合トランザクションに対する各署名は、前記複合トランザクションに含まれる複数のトランザクション全体を対象として付与することを特徴とする。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
電力変換機器を収容する主収納容器室と、前記主収納容器室の側方に隣接して配置された隣接収納容器室とを備え、前記隣接収納容器室と並設して制御盤を配置するとともに、前記制御盤は前記隣接収納容器室を介在して前記主収納容器室と一体に結合されることを特徴とするスイッチギヤ。
【請求項２】
前記制御盤は前記主収納容器室よりも高い剛性の筐体を有することを特徴とする請求項１に記載のスイッチギヤ。
【請求項３】
前記隣接収納容器室は、前記電力変換機器の二次側母線に相当する延長母線と前記制御盤の母線位置を調整する機能を有することを特徴とする請求項１または請求項２に記載のスイッチギヤ。
【請求項４】
前記隣接収納容器室を、前側隣接収納容器副室と後側隣接収納容器副室とから構成し、前記前側隣接収納容器副室には前記主収納容器室に収容された前記電力変換機器を含む収納機器を制御する制御用機器が収容され、前記後側隣接収納容器副室には前記電力変換機器の二次側母線に相当する延長母線を収容するようにしたことを特徴とする請求項３に記載のスイッチギヤ。
【請求項５】
前記隣接収納容器室を前記主収納容器室の左右両側方に隣接して配置するとともに、前記隣接収納容器室の各側面に前記主収納容器室よりも高い剛性の筐体を有する前記制御盤を配置するようにしたことを特徴とする請求項２に記載のスイッチギヤ。
【請求項６】
前記隣接収納容器室を前記主収納容器室の左右両側方に隣接して配置するとともに、前記隣接収納容器室の各側面の一方に前記主収納容器室よりも高い剛性の筐体を有する前記制御盤を配置し、前記隣接収納容器室の前後面の一方に前記主収納容器室よりも高い剛性の筐体を有する前記制御盤を配置したことを特徴とする請求項２に記載のスイッチギヤ。
【請求項７】
前記隣接収納容器室を前記主収納容器室の左右両側方に隣接して配置するとともに、前記隣接収納容器室の各側面に前記主収納容器室よりも高い剛性の筐体を有する前記制御盤を配置し、前記制御盤を前記隣接収納容器室の各側面における前方側に配置される第１の制御盤と前記隣接収納容器室の各側面における後方側に配置される第２の制御盤とにより構成したことを特徴とする請求項２に記載のスイッチギヤ。
【請求項８】
前記制御盤を互いに並設された複数の制御盤ユニットで構成したことを特徴とする請求項１から請求項７までの何れか１項に記載のスイッチギヤ。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
電機子コイルを有するステータと、ロータコアおよび前記ロータコアにおける前記ステータへの対向面に設けられた複数の突極を有するロータと、を備える回転電機であって、
前記ロータは、
隣り合う前記突極同士を接続する第１バイパス路と、
前記第１バイパス路に、該第１バイパス路の延伸方向に磁極を向くように配置された第１永久磁石と、
前記ロータコアと前記第１バイパス路との間に形成される第１フラックスバリアと、を備え、
回転電機の駆動中に、前記電機子コイルに通電する電流の電流位相角を制御することを特徴とする回転電機。
【請求項２】
隣り合う前記突極の間であって前記第１バイパス路より前記ステータ側に、前記ロータの前記ステータとの対向面における一方の突極の近傍からｑ軸を跨いで他方の突極の近傍に向かって延伸する第２バイパス路が設けられ、
前記第２バイパス路に、該第２バイパス路の延伸方向に磁極を向くように第２永久磁石が配置され、
前記第１バイパス路と前記第２バイパス路との間に第２フラックスバリアが設けられていることを特徴とする請求項１に記載の回転電機。
【請求項３】
隣り合う前記突極の間であって前記第１バイパス路と前記第２バイパス路との間に、前記ロータの前記ステータとの対向面における一方の突極の近傍からｑ軸を跨いで他方の突極の近傍に向かって延伸する第３バイパス路が設けられ、
前記第１バイパス路と前記第３バイパス路との間に第３フラックスバリアが設けられていることを特徴とする請求項２に記載の回転電機。
【請求項４】
隣り合う前記突極の間であって前記第１バイパス路と前記第３バイパス路との間に、前記ロータの前記ステータとの対向面における一方の突極の近傍からｑ軸を跨いで他方の突極の近傍に向かって延伸する第４バイパス路が設けられ、
前記第４バイパス路に、該第４バイパス路の延伸方向に磁極を向くように第３永久磁石が配置され、
前記第１バイパス路と前記第４バイパス路との間に第４フラックスバリアが設けられていることを特徴とする請求項３に記載の回転電機。
【請求項５】
前記第２フラックスバリア、前記第３フラックスバリアおよび前記第４フラックスバリアにおける前記ステータ近傍の幅をＷｂとし、前記ステータにおける前記ロータへの対向部のティース間隔をＷｓとしたとき、
前記第２フラックスバリア、前記第３フラックスバリアおよび前記第４フラックスバリアのうち少なくとも１つは、
Ｗｂ＜Ｗｓを満たすことを特徴とする請求項４に記載の回転電機。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
封入ガスを密封した回転電機における軸封部の密封器に密封油を供給する密封油供給回路を備えた回転電機の密封油制御システムにおいて、前記軸封部よりも上方に密封油を収容したサージタンクを設け、前記サージタンクから前記密封器へ密封油を供給するようにしたことを特徴とする回転電機の密封油制御システム。
【請求項２】
前記サージタンクの底部と連通し前記サージタンクに収容された密封油を前記密封器に供給する供給経路を設けるとともに、前記密封器から排出された密封油を前記サージタンクに循環する循環経路を設けたことを特徴とする請求項１に記載の回転電機の密封油制御システム。
【請求項３】
前記循環経路に密封油を浄化するための密封油浄化タンクを設けたことを特徴とする請求項２に記載の回転電機の密封油制御システム。
【請求項４】
前記サージタンクに収容された密封油の油面の高さを調整する油面調整弁を設けたことを特徴とする請求項１から請求項３のいずれか１項に記載の回転電機の密封油制御システム。
【請求項５】
前記サージタンクの気相部と封入ガスが密封された前記回転電機の封入ガス充填部分とを連通する連通配管を設けたことを特徴とする請求項１から請求項４のいずれか１項に記載の回転電機の密封油制御システム。
【請求項６】
前記サージタンクと前記軸封部との間に差圧補正用調整弁を設けたことを特徴とする請求項１に記載の回転電機の密封油制御システム。
【請求項７】
前記サージタンクとして複数のサージタンクユニットを並列に設け、前記複数のサージタンクユニットを選択的に作動させることを特徴とする請求項１に記載の回転電機の密封油制御システム。
【請求項８】
前記複数のサージタンクユニットにおける第１のサージタンクユニットに収容された密封油を前記密封器に供給する第１の弁装置を設けるとともに、前記複数のサージタンクユニットにおける第２のサージタンクユニットに形成された気相部を排気のための真空ポンプに連通する第２の弁装置を設けたものであって、しかも、前記複数のサージタンクユニットにおける第１のサージタンクユニットに形成された気相部を排気のための真空ポンプに連通する第３の弁装置を設けるとともに、前記複数のサージタンクユニットにおける第２のサージタンクユニットに収容された密封油を前記密封器に供給する第４の弁装置を設けたことを特徴とする請求項７に記載の回転電機の密封油制御システム。
【請求項９】
前記第２の弁装置は前記第３の弁装置における第１のサージタンクユニットに形成された気相部を排気のための真空ポンプに連通する作動に応じて第２のサージタンクユニットに形成された気相部を前記回転電機の封入ガス充填部分と連通するように作動するとともに、前記第３の弁装置は前記第２の弁装置における第２のサージタンクユニットに形成された気相部を排気のための真空ポンプに連通する作動に応じて第１のサージタンクユニットに形成された気相部を前記回転電機の封入ガス充填部分と連通するように作動することを特徴とする請求項８に記載の回転電機の密封油制御システム。
【手続補正２】
【補正対象書類名】明細書
【補正対象項目名】００３４
【補正方法】変更
【補正の内容】
【００３４】
１  回転電機、２  回転軸、３  密封器、４  ループシールタンク、６  密封油排油管、７  密封油浄化タンク、８  油面調整弁、９  供給配管、１０  逆止弁、１１  ＡＣ密封油ポンプ、１２  圧力調整弁、１３  ＤＣ密封油ポンプ、１４  逆止弁、１５  逆止弁、１６  密封油フィルタ、１７  サージタンク、１７Ａ，１７Ｂサージタンクユニット、１７ｇ  気相部、１８，１８Ａ，１８Ｂ  油面調整弁、１９  配管、２０  密封油供給配管、２１  連結配管、２２  油戻し配管、２３  差圧補正用調整弁、２４１〜２４４  電磁弁、２５  真空ポンプ、２６  屋外放出管。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
情報を表示する表示手段と、
音を出力する音出力手段と、
キャラクタ演出を実行する演出手段と、を備え、
前記表示手段は、前記キャラクタ演出が実行されるときに、
第１タイミングにおいて、字幕を表示させるための領域を示す領域画像を該字幕が表示されていない態様で表示し、
前記第１タイミングより後の第２タイミングにおいて、前記領域画像に重畳させて前
記字幕を表示し、
前記音出力手段は、前記キャラクタ演出が実行されるときに、
前記第１タイミングにおいて、特定音を出力し、
前記第２タイミングにおいて、前記字幕に対応するキャラクタ音声を出力し、
前記字幕は、第１字幕と該第１字幕よりも遊技者に有利な旨を示唆する第２字幕を含み、
前記音出力手段は、前記第２タイミングにおいて前記第１字幕が表示されるときと前記第２字幕が表示されるときとで同じ音を前記特定音として出力可能である、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
情報を表示する表示手段と、
音を出力する音出力手段と、
キャラクタ演出を実行する演出手段と、を備え、
前記表示手段は、前記キャラクタ演出が実行されるときに、
第１タイミングにおいて、字幕を表示させるための領域を示す領域画像を該字幕が表示されていない態様で表示し、
前記第１タイミングより後の第２タイミングにおいて、前記領域画像に重畳させて前
記字幕を表示し、
前記音出力手段は、前記キャラクタ演出が実行されるときに、
前記第１タイミングにおいて、特定音を出力し、
前記第２タイミングにおいて、前記字幕に対応するキャラクタ音声を出力し、
前記字幕は、第１字幕と該第１字幕よりも遊技者に有利な旨を示唆する第２字幕を含み、
前記音出力手段は、前記第２タイミングにおいて前記第１字幕が表示されるときと前記第２字幕が表示されるときとで同じ音を前記特定音として出力可能である。
（１）  遊技を行うことが可能な遊技機（たとえば、スロットマシン１、パチンコ遊技
機）であって、
キャラクタ（たとえば、図５におけるキャラクタ８２ｅ、図６におけるキャラクタ８４ｅ）が音声（たとえば、図５におけるキャラクタ音声８２ｇ「激熱」、図６におけるキャラクタ音声８４ｇ「赤７を狙え」）を発するキャラクタ演出を実行する演出手段（たとえば、サブ制御部９１がキャラクタ演出を実行する処理）を備え、
前記キャラクタ演出は、キャラクタが発する音声に対応する字幕（たとえば、図５における文字情報８２ｆ「激熱」、図６における文字情報８４ｆ「７を狙え」）が表示される演出であり、
前記キャラクタ演出によってキャラクタが音声を発する前に、当該音声とは異なる特定音（たとえば、図５における特定音８２ｂ「テローン」、図６における特定音８４ｂ「ジャキーン」）を出力する特定音出力手段（たとえば、図５に示すように、サブ制御部９１が、キャラクタ８２ｅが音声を発する前に特定音８２ｂ「テローン」を出力させる処理、図６に示すように、サブ制御部９１が、キャラクタ８４ｅが音声を発する前に特定音８４ｂ「ジャキーン」を出力させる処理）をさらに備える。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者所有の遊技用価値を記憶する遊技用価値記憶手段と、
遊技者による設定操作に基づき音量に関する設定である音量設定を行う音量設定手段と、
遊技者による精算操作に基づき前記遊技用価値記憶手段に記憶された遊技用価値を精算する精算手段と、
前記音量設定手段によって行われた前記音量設定の初期化を行う初期化手段と、
特定期間を一周期とする遊技待機演出を実行可能な遊技待機演出実行手段と、を備え、
前記遊技待機演出実行手段は、前記精算操作に基づき前記遊技待機演出を実行可能であり、
前記初期化手段は、遊技用価値を用いることなく前記可変表示部が変動表示可能となる再遊技入賞が発生しているときは、前記初期化を行わない一方で、前記再遊技入賞が発生していないときにおいて遊技者によって前記精算操作が行われたときは、当該精算操作が行われたことに基づき前記遊技待機演出が少なくとも一周期実行されるまでは前記初期化を行うことなく当該遊技待機演出が少なくとも一周期実行された以降に前記初期化を行い、
前記遊技待機演出実行手段は、前記再遊技入賞が発生しているときにおいて遊技者によって前記精算操作が行われたときは、当該精算操作が行われたことに基づき前記遊技待機演出を実行しない一方で、前記再遊技入賞が発生していないときにおいて遊技者によって前記精算操作が行われたときは、当該精算操作が行われたことに基づき前記遊技待機演出を実行する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００４
【補正方法】変更
【補正の内容】
【０００４】
このようなスロットマシンとして、遊技者によって音量の設定を行うことが可能なスロットマシンがあった（たとえば、特許文献１）。
【手続補正４】
【補正対象書類名】明細書
【補正対象項目名】０００５
【補正方法】変更
【補正の内容】
【０００５】
【特許文献１】特開２００４−２１５８０５号公報
【手続補正５】
【補正対象書類名】明細書
【補正対象項目名】０００６
【補正方法】変更
【補正の内容】
【０００６】
特許文献１に開示されたスロットマシンにおいては、改良の余地があった。
【手続補正６】
【補正対象書類名】明細書
【補正対象項目名】０００７
【補正方法】変更
【補正の内容】
【０００７】
この発明は、かかる実情に鑑み考え出されたものであり、その目的は、音量設定を好適に初期化することができるスロットマシンを提供することである。
【手続補正７】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者所有の遊技用価値を記憶する遊技用価値記憶手段と、
遊技者による設定操作に基づき音量に関する設定である音量設定を行う音量設定手段と、
遊技者による精算操作に基づき前記遊技用価値記憶手段に記憶された遊技用価値を精算する精算手段と、
前記音量設定手段によって行われた前記音量設定の初期化を行う初期化手段と、
特定期間を一周期とする遊技待機演出を実行可能な遊技待機演出実行手段と、を備え、
前記遊技待機演出実行手段は、前記精算操作に基づき前記遊技待機演出を実行可能であり、
前記初期化手段は、遊技用価値を用いることなく前記可変表示部が変動表示可能となる再遊技入賞が発生しているときは、前記初期化を行わない一方で、前記再遊技入賞が発生していないときにおいて遊技者によって前記精算操作が行われたときは、当該精算操作が行われたことに基づき前記遊技待機演出が少なくとも一周期実行されるまでは前記初期化を行うことなく当該遊技待機演出が少なくとも一周期実行された以降に前記初期化を行い、
前記遊技待機演出実行手段は、前記再遊技入賞が発生しているときにおいて遊技者によって前記精算操作が行われたときは、当該精算操作が行われたことに基づき前記遊技待機演出を実行しない一方で、前記再遊技入賞が発生していないときにおいて遊技者によって前記精算操作が行われたときは、当該精算操作が行われたことに基づき前記遊技待機演出を実行する。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技に関する遊技情報（たとえば、図１４に示すメニュー画面）を、該遊技情報を表示するための所定動作（たとえば、演出用スイッチ５６への操作）が遊技者により実行されたときに表示可能な表示手段（たとえば、液晶表示器５１）と、
遊技を開始可能とするための賭数（たとえば、３枚の賭数）を設定する賭数設定手段（たとえば、メイン制御部４１）とを備え、
前記賭数設定手段は、
再遊技表示結果（たとえば、リプレイ）が導出されたときには、前記賭数を設定するための特定動作（たとえば、ＭＡＸＢＥＴスイッチ６への操作、およびメダル投入）が遊技者により実行されなくても、前記賭数を設定し（たとえば、自動ＢＥＴが実行され）、
前記再遊技表示結果とは異なる表示結果（たとえば、リプレイとは異なる表示結果）が導出されたときには、前記特定動作（たとえば、ＭＡＸＢＥＴスイッチ６への操作、およびメダル投入）が遊技者により実行されることで、前記賭数を設定可能であり、
前記表示手段は、
前記再遊技表示結果の導出により前記賭数が設定された状態で前記所定動作が実行されたときには、前記遊技情報を表示可能であり（たとえば、図１７（Ａ）および図１７（Ｂ）に示すように、リプレイの導出により自動ＢＥＴが実行された状態で、演出用スイッチ５６が操作されると、メニュー画面を表示可能であり）、
前記特定動作の実行により前記賭数が設定された状態で前記所定動作が実行されたときには、前記遊技情報を表示しない（たとえば、図１７（Ｃ）〜図１７（Ｅ）に示すように、リプレイとは異なる表示結果が導出されて賭数設定動作が実行された状態では、演出用スイッチ５６が操作されても、メニュー画面は表示されない）。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
第１表示内容を表示する第１表示状態と第２表示内容を表示する第２表示状態とを含む複数種類の表示状態に変化可能な表示手段と、
遊技者による設定操作に基づき音量に関する設定である音量設定を行う音量設定手段と、
を備え、
前記表示手段は、前記第１表示状態と前記第２表示状態とで、共通の文字情報を透過性を有する画像に重なるように表示可能にし、
前記文字情報は、前記音量設定に関する情報であり、
前記表示手段の表示状態は、
遊技が終了したときから所定期間が経過するまでは、前記第１表示状態かつ前記文字情報が表示されていない状態となり、
遊技が終了したときから前記所定期間が経過したときに、前記第１表示状態かつ前記文字情報が表示される状態となり、
遊技が終了したときから前記所定期間が経過しさらに特定期間が経過したときに、前記第２表示状態かつ前記文字情報が表示される状態となり、
前記透過性を有する画像は中央部分と縁部分とで色が異なる、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
第１表示内容を表示する第１表示状態と第２表示内容を表示する第２表示状態とを含む複数種類の表示状態に変化可能な表示手段と、
遊技者による設定操作に基づき音量に関する設定である音量設定を行う音量設定手段と、
を備え、
前記表示手段は、前記第１表示状態と前記第２表示状態とで、共通の文字情報を透過性を有する画像に重なるように表示可能にし、
前記文字情報は、前記音量設定に関する情報であり、
前記表示手段の表示状態は、
遊技が終了したときから所定期間が経過するまでは、前記第１表示状態かつ前記文字情報が表示されていない状態となり、
遊技が終了したときから前記所定期間が経過したときに、前記第１表示状態かつ前記文字情報が表示される状態となり、
遊技が終了したときから前記所定期間が経過しさらに特定期間が経過したときに、前記第２表示状態かつ前記文字情報が表示される状態となり、
前記透過性を有する画像は中央部分と縁部分とで色が異なる。
（１）  遊技を行うことが可能な遊技機（たとえば、スロットマシン１、パチンコ遊技機）であって、
第１表示内容（たとえば、図３（ａ）における液晶表示器５１に表示される第１表示内容８０ａ（デモ画像））を表示する第１表示状態（たとえば、デモ表示中）と第２表示内容（たとえば、図３（ｂ）における液晶表示器５１に表示される第２表示内容８１ａ（太陽と海の画像））を表示する第２表示状態（たとえば、通常背景表示中）とを含む複数種類の表示状態に変化可能な表示手段（たとえば、液晶表示器５１）を備え、
前記表示手段は、前記第１表示状態と前記第２表示状態とで、共通の文字情報（たとえば、図３（ａ）における文字情報８０ｄ「ＰＵＳＨボタンでメニューを表示します」、図３（ｂ）における文字情報８１ｄ「ＰＵＳＨボタンでメニューを表示します」）を透過性を有する画像（たとえば、図３（ａ）における透過性を有する画像８０ｂ、図３（ｂ）における透過性を有する画像８１ｂ）に重なるように表示可能にする（たとえば、図３（ａ），（ｂ）に示すように、デモ表示中および通常背景表示中のいずれにおいても、文字情報８０ｄ，８１ｄを透過性を有する画像８０ｂ，８１に重なるように表示する）。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
対象物を収集する行為を体験できるゲーム装置であって、
装置本体と、
前記装置本体の回転に基づく方位変化を検出可能な方位センサと、
前記装置本体の振動を検出可能な振動センサと、
前記対象物の配置画像を表示可能な画像表示部と、
前記方位センサおよび前記振動センサの検出結果に応じて、前記画像表示部に表示された前記配置画像中の前記対象物の位置を変化可能に制御する制御部と、
を備え、
前記制御部は、前記振動センサの検出結果に応じて前記配置画像中の前記対象物の位置を所定の一方向に沿って直線変化させ、
前記制御部による前記対象物の収集の判断は、該対象物の位置の変化により該対象物が前記画像表示部の所定の位置に設定された収集位置に表示されたことによりなされる、
ゲーム装置。
【請求項２】
請求項１に記載のゲーム装置において、
前記表示部には互いに直行するＸ軸とＹ軸に基づくＸＹ座標が設定され、
前記制御部は、前記振動センサの検出結果に応じて前記配置画像中の前記対象物の位置をＸ軸およびＹ軸の何れか一方に沿って変化させる、
ゲーム装置。
【請求項３】
請求項１または２に記載のゲーム装置において、
前記制御部は、前記振動センサの検出結果に応じて前記配置画像中の前記対象物の位置を前記ゲーム装置を持って前記対象物を収集する行為を体験する遊戯者が歩く場合の前進方向とは反対の方向に変化させる、
ゲーム装置。
【請求項４】
請求項１〜３のいずれか一項に記載のゲーム装置において、
前記制御部は、前記方位センサの検出結果に応じて前記画像表示部に表示されている前記配置画像の表示向きを前記収集位置に対応する位置を中心として回転させる、
前記ゲーム装置。
【請求項５】
請求項２に記載のゲーム装置において、
前記制御部は、前記方位センサの検出結果に応じて前記配置画像に含まれる前記対象物のいずれか一つを前記収集位置を通る前記Ｘ軸および前記Ｙ軸のいずれか一方の軸上に位置可能に回転させる、
ゲーム装置。
【手続補正２】
【補正対象書類名】明細書
【補正対象項目名】０００７
【補正方法】変更
【補正の内容】
【０００７】
本発明に係るゲーム装置は、対象物を収集する行為を体験できるゲーム装置であって、装置本体と、前記装置本体の回転に基づく方位変化を検出可能な方位センサと、前記装置本体の振動を検出可能な振動センサと、前記対象物の配置画像を表示可能な画像表示部と、前記方位センサおよび前記振動センサの検出結果に応じて、前記画像表示部に表示されている前記配置画像中の前記対象物の位置を変化可能に制御する制御部と、を備え、前記制御部は、前記振動センサの検出結果に応じて前記配置画像中の前記対象物の位置を所定の一方向に沿って直線変化させ、前記制御部による前記対象物の収集の判断は、該対象物の位置の変化により該対象物が前記画像表示部の所定の位置に設定された収集位置に表示されたことによりなされる。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
演出制御を行う制御手段が設けられた第１基板と、
演出制御に関連する演出情報を記憶する記憶手段が設けられた第２基板と、
遊技の進行を制御する遊技制御手段と、
前記制御手段の温度を監視する温度監視手段と、
前記温度監視手段の監視結果にもとづいて所定の温度異常の発生を検出する温度異常検出手段と、を備え、
前記記憶手段に、あらかじめ認証情報が記憶され、
前記制御手段は、
前記記憶手段に記憶されている前記認証情報にもとづいて認証処理を実行可能であり、
前記認証処理にて認証成功となったことにもとづいて、演出制御処理を実行可能であり、
前記認証処理にて認証成功となり且つ前記所定の温度異常が検出された場合に、前記演出制御処理として演出用識別情報を縮小した縮小識別情報の可変表示を実行する処理を実行可能である一方で、前記演出制御処理として演出用識別情報の可変表示を実行する処理を実行せず、
前記認証処理にて認証失敗となり且つ前記所定の温度異常が検出された場合に、前記演出制御処理として縮小識別情報の可変表示を実行する処理および演出用識別情報の可変表示を実行する処理を実行せず、
前記認証処理にて認証失敗となったことにもとづいて、認証失敗となったことを報知し、
前記遊技制御手段からの情報にもとづいて演出制御および表示制御を実行可能であり、
前記遊技制御手段は、遊技機への電源供給が開始されたことを示す電源開始コマンドおよび電断状態から復旧したことを示す電断復旧コマンドを出力可能であり、
前記制御手段は、前記電源開始コマンドまたは前記電断復旧コマンドを入力したことにもとづいて前記認証処理を実行可能である
ことを特徴とする遊技機。
【手続補正２】
【補正対象書類名】明細書
【補正対象項目名】００１０
【補正方法】変更
【補正の内容】
【００１０】
（手段Ａ）本発明による遊技機は、遊技を行うことが可能な遊技機であって、演出制御を行う制御手段（例えば、演出制御用ＣＰＵ１２０）が設けられた第１基板（例えば、演出制御基板１２）と、演出制御に関連する演出情報（例えば、各種画像データ）を記憶する記憶手段（例えば、ＣＧＲＯＭ１４１）が設けられた第２基板（例えば、演出制御用中継基板１６Ａ）と、遊技の進行を制御する遊技制御手段（例えば、遊技制御用マイクロコンピュータ１００）と、制御手段の温度を監視する温度監視手段と、温度監視手段の監視結果にもとづいて所定の温度異常の発生を検出する温度異常検出手段と、を備え、記憶手段に、あらかじめ認証情報が記憶され（例えば、ＣＧＲＯＭ１４１には、認証データが記憶されている）、制御手段は、記憶手段に記憶されている認証情報にもとづいて認証処理を実行可能であり（例えば、演出制御用マイクロコンピュータ１２０Ａは、ステップＳ５０Ｂを実行し、ＣＧＲＯＭ１４１から読み出した認証データとＲＯＭ１３５に記憶されている認証データとを照合して認証処理を行う）、認証処理にて認証成功となったことにもとづいて、演出制御処理を実行可能であり（例えば、演出制御用マイクロコンピュータ１２０Ａは、ステップＳ５０ＣでＹのときにステップＳ５１以降の処理に移行し、認証に成功
したことにもとづいて初期演出データ転送処理（Ｓ５１Ｄ）を含む各種演出制御の処理を実行する）、認証処理にて認証成功となり且つ所定の温度異常が検出された場合に、演出制御処理として演出用識別情報を縮小した縮小識別情報の可変表示を実行する処理を実行可能である一方で、演出制御処理として演出用識別情報の可変表示を実行する処理を実行せず、認証処理にて認証失敗となり且つ所定の温度異常が検出された場合に、演出制御処理として縮小識別情報の可変表示を実行する処理および演出用識別情報の可変表示を実行する処理を実行せず、認証処理にて認証失敗となったことにもとづいて、認証失敗となったことを報知し、遊技制御手段からの情報にもとづいて演出制御および表示制御を実行可能であり（例えば、演出制御用マイクロコンピュータ１２０ＡはＶＤＰ機能を有し（例えば、演出制御用ＣＰＵ１２０はＶＤＰ機能を内蔵し）、遊技制御用マイクロコンピュータ１００からの演出制御コマンドにもとづいて演出制御およびＶＤＰ機能を用いた表示制御を実行可能である）、遊技制御手段は、遊技機への電源供給が開始されたことを示す電源開始コマンド（例えば、電源投入指定コマンド）および電断状態から復旧したことを示す電断復旧コマンド（例えば、停電復旧指定コマンド）を出力可能であり、制御手段は、電源開始コマンドまたは電断復旧コマンドを入力したことにもとづいて認証処理を実行可能である（例えば、演出制御用マイクロコンピュータ１２０Ａは、ステップＳ５０ＡでＹのときステップＳ５０Ｂを実行可能であり、電源投入指定コマンドまたは停電復旧指定コマンドを受信したことにもとづいて認証処理を実行可能である）ことを特徴とする。そのような構成によれば、制御手段が設けられた基板と記憶手段が設けられた基板との間で適正な接続関係を確保することができる。
（手段１）他の遊技機は、遊技を行うことが可能な遊技機であって、演出制御を行う制御手段（例えば、演出制御用ＣＰＵ１２０）が設けられた第１基板（例えば、演出制御基板１２）と、演出制御に関連する演出情報（例えば、各種画像データ）を記憶する記憶手段（例えば、ＣＧＲＯＭ１４１）が設けられた第２基板（例えば、演出制御用中継基板１６Ａ）と、遊技の進行を制御する遊技制御手段（例えば、遊技制御用マイクロコンピュータ１００）とを備え、記憶手段には、あらかじめ認証情報が記憶され（例えば、ＣＧＲＯＭ１４１には、認証データが記憶されている）、制御手段は、記憶手段に記憶されている認証情報にもとづいて認証処理を実行可能であり（例えば、演出制御用マイクロコンピュータ１２０Ａは、ステップＳ５０Ｂを実行し、ＣＧＲＯＭ１４１から読み出した認証データとＲＯＭ１３５に記憶されている認証データとを照合して認証処理を行う）、認証処理にて認証成功となったことにもとづいて、演出制御を実行可能であり（例えば、演出制御用マイクロコンピュータ１２０Ａは、ステップＳ５０ＣでＹのときにステップＳ５１以降の処理に移行し、認証に成功したことにもとづいて初期演出データ転送処理（Ｓ５１Ｄ）を含む各種演出制御の処理を実行する）、遊技制御手段からの情報にもとづいて演出制御および表示制御を実行可能である（例えば、演出制御用マイクロコンピュータ１２０ＡはＶＤＰ機能を有し（例えば、演出制御用ＣＰＵ１２０はＶＤＰ機能を内蔵し）、遊技制御用マイクロコンピュータ１００からの演出制御コマンドにもとづいて演出制御およびＶＤＰ機能を用いた表示制御を実行可能である）ことを特徴とする。そのような構成によれば、制御手段が設けられた基板と記憶手段が設けられた基板との間で適正な接続関係を確保することができる。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能な遊技機において、
遊技者所有の遊技用価値を記憶する遊技用価値記憶手段と、
遊技者による設定操作に基づき演出設定を行う演出設定手段と、
遊技者による精算操作に基づき前記遊技用価値記憶手段に記憶された遊技用価値を精算する精算手段と、
前記演出設定手段によって行われた前記演出設定の初期化を行う初期化手段と、
特定期間を一周期とする遊技待機演出を実行可能な遊技待機演出実行手段と、
遊技が行われない状態において特定処理を実行可能な特定処理実行手段と、
を備え、
前記遊技待機演出実行手段は、
前記精算操作に基づき前記遊技待機演出を実行可能であり、
遊技が行われない状態が所定時間経過することで前記遊技待機演出を実行可能であり、
遊技が行われない状態となった後、所定時間が経過する前に特定処理が開始し、該特定処理中に所定時間が経過した場合に、特定処理中には前記遊技待機演出を実行せず、該特定処理が終了した後に、前記遊技待機演出を実行可能であり、
特定処理中に特定処理中である旨を報知する特定処理報知演出を実行し、
前記初期化手段は、遊技用価値を用いることなく前記可変表示部が変動表示可能となる再遊技入賞が発生しているときは、前記初期化を行わない一方で、前記再遊技入賞が発生していないときにおいて遊技者によって前記精算操作が行われたときは、当該精算操作が行われたことに基づき前記遊技待機演出が少なくとも一周期実行されるまでは前記初期化を行うことなく当該遊技待機演出が少なくとも一周期実行された以降に前記初期化を行う、遊技機。
【手続補正２】
【補正対象書類名】明細書
【補正対象項目名】０００６
【補正方法】変更
【補正の内容】
【０００６】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能な遊技機において、
遊技者所有の遊技用価値を記憶する遊技用価値記憶手段と、
遊技者による設定操作に基づき演出設定を行う演出設定手段と、
遊技者による精算操作に基づき前記遊技用価値記憶手段に記憶された遊技用価値を精算する精算手段と、
前記演出設定手段によって行われた前記演出設定の初期化を行う初期化手段と、
特定期間を一周期とする遊技待機演出を実行可能な遊技待機演出実行手段と、
遊技が行われない状態において特定処理を実行可能な特定処理実行手段と、
を備え、
前記遊技待機演出実行手段は、
前記精算操作に基づき前記遊技待機演出を実行可能であり、
遊技が行われない状態が所定時間経過することで前記遊技待機演出を実行可能であり、
遊技が行われない状態となった後、所定時間が経過する前に特定処理が開始し、該特定処理中に所定時間が経過した場合に、特定処理中には前記遊技待機演出を実行せず、該特定処理が終了した後に、前記遊技待機演出を実行可能であり、
特定処理中に特定処理中である旨を報知する特定処理報知演出を実行し、
前記初期化手段は、遊技用価値を用いることなく前記可変表示部が変動表示可能となる再遊技入賞が発生しているときは、前記初期化を行わない一方で、前記再遊技入賞が発生していないときにおいて遊技者によって前記精算操作が行われたときは、当該精算操作が行われたことに基づき前記遊技待機演出が少なくとも一周期実行されるまでは前記初期化を行うことなく当該遊技待機演出が少なくとも一周期実行された以降に前記初期化を行う。
（１）  遊技を行う遊技機（スロットマシン１）において、
遊技が行われない状態が所定時間経過することで非遊技状態演出（デモ演出）を実行可
能な演出実行手段と、
遊技が行われない状態において特定処理（精算処理、ドア開放エラー処理、エラー処理
、精算報知、ドア開放報知、エラー報知）を実行可能な特定処理実行手段と、
を備え、
前記演出実行手段は、
遊技が行われない状態となった後、所定時間が経過する前に特定処理（精算処理、ドア
開放エラー処理、エラー処理、精算報知、ドア開放報知、エラー報知）が開始し、該特定
処理中に所定時間が経過した場合に、特定処理中には非遊技状態演出（デモ演出）を実行
せず、該特定処理が終了した後に、非遊技状態演出を実行可能であり、
特定処理中に特定処理中である旨を報知する特定処理報知演出（精算報知、ドア開放報
知、エラー報知）を実行する
ことを特徴としている。
この特徴によれば、遊技が行われない状態が所定時間経過することで非遊技状態演出が
実行される構成において、遊技が行われない状態となった後、所定時間が経過する前に特
定処理が開始し、該特定処理中に所定時間が経過した場合に、特定処理中には非遊技状態
演出は実行されず、該特定処理が終了した後に、非遊技状態演出が実行されるので、特定
処理中に非遊技状態演出が実行されることがないため、特定処理の実行中であることを容
易に認識させることができ、特定処理が終了した後に非遊技状態演出が実行されるので、
特定処理の終了後は、遊技が行われていないことを認識させることができる。
また、特定処理中に特定処理中である旨を報知する特定処理報知演出が実行されるので
、特定処理の実行中であることを明確に認識させることができる。